(57)【要約】【課題】ロール状に巻回された連続袋を袋単体に切り離す際に、その開口部を開いた状態で切り離せるようにしたロール状連続袋の袋切り離し装置を提供する。【解決手段】ロール状に巻回された連続袋Ｃを回動可能に支持する支持軸５と、この支持軸と略平行に配置され、前記ロール状に巻回された連続袋が引き出されて載置されるとともに、前記連続袋が押し付けられた状態で引き出されるガイド軸１０・１１とを備え、このガイド軸に、前記連続袋を引き出す際に、この連続袋の下面との間に摩擦力を生じさせる摩擦付与部材１２・１３が設けられていることを特徴とする。【選択図】図３
0003226447.tif 000002
【実用新案登録請求の範囲】
【請求項１】
有底部を備えた多数の袋が前記有底部に沿ったミシン目からなる切り離し部を介して接続され、かつ、ロール状に巻回されて構成された連続袋から袋単体を切り離すようにしたロール状連続袋の袋切り離し装置であって、前記ロール状に巻回された連続袋を回動可能に支持する支持軸と、この支持軸と略平行に配置され、前記ロール状に巻回された連続袋が引き出されて載置されるとともに、前記連続袋が押し付けられた状態で引き出されるガイド軸とを備え、このガイド軸に、前記連続袋を引き出す際に、この連続袋の下面との間に摩擦力を生じさせる摩擦付与部材が設けられていることを特徴とするロール状連続袋の袋切り離し装置。
【請求項２】
前記ガイド軸が、連続袋の引き出し方向上流側に設けられた第１ガイド軸と、連続袋の引き出し方向下流側に設けられた第２ガイド軸とによって構成されているとともに、前記第１ガイド軸に第１摩擦部材が設けられ、前記第２ガイド軸に第２摩擦付与部材が設けられ、前記第１摩擦付与部材が、前記第１ガイド軸の長さ方向の中間部に設けられ、前記第２摩擦付与部材が、前記第２ガイド軸の長さ方向に間隔をおいた２箇所に設けられていることを特徴とする請求項１に記載のロール状連続袋の袋切り離し装置。
【請求項３】
前記摩擦付与部材がシリコーンゴムによって形成されていることを特徴とする請求項１または請求項２に記載のロール状連続袋の袋切り離し装置。
【考案の詳細な説明】
【技術分野】
【０００１】
本考案は、有底部を備えた多数の袋が前記有底部に沿ったミシン目からなる切り離し部を介して接続され、かつ、ロール状に巻回されて構成された連続袋から袋単体を切り離すようにしたロール状連続袋の袋切り離し装置に関する。
【背景技術】
【０００２】
この種のロール状連続袋の袋切り離し装置に関する技術が、たとえば、特許文献１に示されている。
【０００３】
この技術は、ロール状に巻回された連続袋を支持軸に回動可能に装着するとともに、この支持軸の近傍にスリットを備えた切り離し部を設けた構成とされている。
【０００４】
そして、前記連続袋を、ロール部から引き出して切り離し部のスリットに挿入するとともに、そのミシン目がスリットから引き出された状態とする。
【０００５】
この状態で、連続袋が、そのミシン目よりもロール部側においてスリットとの摩擦によって係止される。
【０００６】
これより、ミシン目から引き出されている連続袋をスリットと交差する方向に引くことにより、スリットから引き出されている袋単体を、ミシン目において連続袋から切り離すようにしている。
【先行技術文献】
【特許文献】
【０００７】
【特許文献１】特開２０１５−３４０２３号公報
【考案の概要】
【考案が解決しようとする課題】
【０００８】
ところで、前述したロール状連続袋は極めて薄いシートを用いて筒状に形成されているとともに、周面や開口部が平面状に密着するように折り畳まれている。
【０００９】
このような連続袋を前述したように袋単体として切り離した場合、この袋単体の開口部は密着した状態にある。
ここで、袋単体に物品を収納するために、密着した状態の袋単体の開口部を開こうとすると、指先と袋単体とがすべってしまい、なかなか開けないといった不具合が生じている。
【００１０】
その対策として、湿ったタオル等を用意しておき、このタオルで指先を湿らせて袋単体との滑りを小さくするような工夫がなされている。
【００１１】
しかしながら、このような対策でも、湿ったタオルを用意する手間や、タオルの湿りを保つための保守作業が必要で、十分な対策とはなっていない。
【００１２】
本考案は、前述した問題点に鑑みてなされたもので、ロール状に巻回された連続袋を袋単体に切り離す際に、その開口部を開いた状態で切り離せるようにしたロール状連続袋の袋切り離し装置を提供することを解決すべき課題とする。
【課題を解決するための手段】
【００１３】
本考案のロール状連続袋の袋切り離し装置は、前述した課題を解決するために、有底部を備えた多数の袋が前記有底部に沿ったミシン目からなる切り離し部を介して接続され、かつ、ロール状に巻回されて構成された連続袋から袋単体を切り離すようにしたロール状連続袋の袋切り離し装置であって、前記ロール状に巻回された連続袋を回動可能に支持する支持軸と、この支持軸と略平行に配置され、前記ロール状に巻回された連続袋が引き出されて載置されるとともに、前記連続袋が押し付けられた状態で引き出されるガイド軸とを備え、このガイド軸に、前記連続袋を引き出す際に、この連続袋の下面との間に摩擦力を生じさせる摩擦付与部材が設けられていることを特徴とする。
【００１４】
このような構成とすることにより、連続袋は、ロール状に巻回された状態からガイド軸上に接触させられつつ引き出される。
【００１５】
引き出された連続袋は、その切り離し部がガイド軸上を通過する際に、引き出し時の張力が切り離し部に作用し、これによって切り離し部のミシン目に沿って切り離される。
【００１６】
ここで、切り離し部の下部が摩擦付与部材に接触することにより、連続袋の切り離し部における密着された面の下方の面に摩擦による負荷がかかる。
【００１７】
一方、前記切り離し部における密着された面の上方の面には引き出し時の張力が作用する。
【００１８】
この結果、前記切り離し部における密着された面の上方の面と下方の面が相互にずらされて、連続袋の切り離し部が開放される。
【００１９】
したがって、連続袋から袋単体を切り離す際に、次に切り離される袋単体の切り離し部の密着されていた面が剥離される。
【００２０】
すなわち、切り離された袋単体は、その切り離し部において一部の面同士の密着が剥離された状態となされ、この隔離された部位から切り出し部全長に亘って容易に開放することができる。
【００２１】
この結果、切り離された袋単体を容易に開放することができ、物品の収納操作を簡便なものとすることができる。
【００２２】
前記ガイド軸が、連続袋の引き出し方向上流側に設けられた第１ガイド軸と、連続袋の引き出し方向下流側に設けられた第２ガイド軸とによって構成されているとともに、前記第１ガイド軸に第１摩擦部材が設けられ、前記第２ガイド軸に第２摩擦付与部材が設けられ、前記第１摩擦付与部材が、前記第１ガイド軸の長さ方向の中間部に設けられ、前記第２摩擦付与部材が、前記第２ガイド軸の長さ方向に間隔をおいた２箇所に設けられた構成とすることができる。
【００２３】
このような構成とすることにより、まず、第１ガイド軸に設けられた第１摩擦付与部材によって連続袋の切り離し部の密着された面同士の一部を剥離し、ついで、連続袋の切り離し部が第２ガイド軸を通過する際に、この切り離し部の密着された残余の部分の下方の面に抵抗を加えて、切り離し部を全長に亘って切り離すことができる。
【００２４】
前記摩擦付与部材は、シリコーンゴムによって形成することが好ましい。
これによって、連続袋の下面との摩擦を効果的に生じさせ、切り離し部における密着された上面と下面との相対動を確実に行なわせて、これらの剥離を円滑に行なうことができる。
【考案の効果】
【００２５】
本考案のロール状連続袋の袋切り離し装置によれば、ロール状に巻回された連続袋から袋単体を切り離す際に、次に切り離される袋単体の切り離し部における密着された面の一部を剥離して、切り離された後の袋単体の開口部の開口操作を容易にすることができる。
【図面の簡単な説明】
【００２６】
【図１】本考案の一実施形態を示す分解斜視図である。
【図２】本考案の一実施形態に用いられるロール状連続袋の外観斜視図である。
【図３】本考案の一実施形態を示す縦断面側面図である。
【図４】本考案の一実施形態を示す要部の斜視図である。
【図５】本考案の一実施形態の動作を説明するための要部の斜視図である。
【図６】本考案の一実施形態の動作を説明するための要部の斜視図である。
【図７】本考案の一実施形態の動作を説明するための要部の斜視図である。
【考案を実施するための形態】
【００２７】
以下、本考案の一実施形態について図１ないし図７を参照して説明する。
これらの図において、符号１は、本実施形態に係わるロール状連続袋の袋切り離し装置を示す。
【００２８】
このロール状連続袋の袋切り離し装置（以下、切り離し装置を略称する）１は、基板２の両側部に立設された一対の支持壁３からなる基体Ｂを備え、各支持壁３の対向面のそれぞれには、ロール状に巻回された連続袋Ｃが回動可能に装着されるホルダー４が設けられている。
【００２９】
これらのホルダー４は上方が開口され、均一な幅を有する係止溝４ａがそれぞれ形成されており、それぞれの係止溝４ａに、連続袋Ｃが回動可能に被嵌される支持軸５の各端部が、上方の開口を経て着脱可能に装着されるようになっている。
【００３０】
また、前記支持軸５は、係止溝４ａの底部に当接させられることによって係止され、この係止された状態において、支持軸５の各端部に、各支持壁３を貫通して設けられる固定ボルト６が螺着されることにより、両支持壁３間に固定されるようになっている。
【００３１】
一方、前記連続袋Ｃは、たとえば、ビニールのような薄くて柔らかい材料によって長尺な筒状に形成され、この筒状の周面の半分を平面状に密着させた後、筒状の心材７に巻回することによって構成されている。
【００３２】
また、前記連続袋Ｃは、その長さ方向に間隔をおいてミシン目からなる切り離し部８が全幅に亘って形成されており、連続袋Ｃが切り離し部８によって切り離されることにより、この切り離し部８を開口部とした袋単体Ｄが得られるようになっている。
【００３３】
さらに、前記連続袋Ｃは、その密着された面同士を、前記切り離し部８の近傍全幅に亘って熱融着等により閉じられている。
これによって、前述したように切り離される袋単体Ｄに底部９が形成されるようになっている。
【００３４】
そして、図示例では、前記切り離し部８の中央部に所定幅の不連続部８ａが形成されている。
【００３５】
この不連続部８ａは、前記切り離し部８における切り離しのきっかけとなる部位を設定するもので、前記切り離し部８の任意の位置に選択的に形成される。
【００３６】
一方、前記両支持壁３間には、支持軸５と略平行に配置され、前記ロール状に巻回された連続袋Ｃが引き出されて載置されるとともに、連続袋Ｃが押し付けられた状態で引き出される２本のガイド軸１０・１１が設けられ、これらのガイド軸１０・１１に、これらのガイド軸１０・１１に載置された前記連続袋Ｃを引き出す際に、この連続袋Ｃの下面との間に摩擦力を生じさせる摩擦付与部材１２・１３が設けられている。
【００３７】
ここで、一方のガイド軸１０を第１ガイド軸とし、他方のガイド軸１１を第２ガイド軸と、第１ガイド軸１０に設けられる摩擦付与部材１２を第１摩擦付与部材とし、第２ガイド軸１１に設けられる摩擦付与部材１３を第１摩擦付与部材とする。
【００３８】
前記第１摩擦付与部材１２は第１ガイド軸１０の略中間部に設けられ、第２摩擦部材付与部材１３は第２ガイド軸１１の両端部近傍に設けられている。
【００３９】
そして、第１および第２摩擦付与部材１２・１３は、接触させられる連続袋Ｃに抗力を好適に付与するために、摩擦係数が大きく粘着性を有するシリコーンゴムが好適に用いられる。
【００４０】
前記第１ガイド軸１０は前記支持軸５と平行となされており、支持軸５の側方で、支持軸５よりも上方に位置するように配置され、その両端部に各支持壁３を貫通し、かつ、これらの支持壁３に螺着される固定ピン１４が嵌合されることにより、両支持壁３間に回動可能に支持されている。
【００４１】
前記第２ガイド軸１１は前記支持軸５と平行となされており、第１ガイド軸１０に対し支持軸５と反対側で、支持軸５より高く第１ガイド軸１０よりも低い位置に配置されている。
【００４２】
そして、第２ガイド軸１１は、その両端部に、支持壁３を貫通する固定ボルト６が螺着されることにより、両支持壁３間に固定されている。
【００４３】
さらに、本実施形態においては、前記ホルダー４の下方に、このホルダー４に装着されるロール状に巻回された連続袋Ｃの下方に対向させられる連結軸１５が配置されている。
【００４４】
この連結軸１５は、その両端部に、支持壁３を貫通する固定ボルト６が螺着されることにより、両支持壁３間に固定されている。
【００４５】
この連結軸１５は、両支持壁３を連結して基体Ｂの剛性を確保するとともに、連続袋Ｃの不用意な落下を防止するために設けられている。
【００４６】
ついで、このように構成された本実施形態の作用について説明する。
まず、ロール状に巻回された連続袋Ｃの心材７に、図１の鎖線で示すように支持軸５を挿入する。
【００４７】
ついで、支持軸５の両端部をホルダー４の係止溝４ａに挿入することにより、ロール状に巻回された連続袋Ｃを、図３ないし図７に示すように、両支持壁３間に装着する。
【００４８】
さらに、ロール状に巻回された連続袋Ｃをその下方から引き出して、第１ガイド軸１０および第２ガイド軸１１の上方に載置するように配置することによりセットを完了する。
【００４９】
連続袋Ｃから袋単体Ｄを切り離すには、図３および図４に矢印で示すように、第２ガイド軸１１上にある連続袋Ｃをこの第２ガイド軸１１に押し付けつつ引き出す。
【００５０】
このような操作に伴い、連続袋Ｃはその下面が、その幅方向の中間部において、第１ガイド軸１０に設けられている第１摩擦付与部材１２に押し付けられつつ第２ガイド軸１１側へ移動させられる。
【００５１】
そして、連続袋Ｃの引き出し操作が継続されると、連続袋Ｃの切り離し部８を構成するミシン目が、図５に示すように、第１ガイド軸１０上に移動させられ、この切り離し部８の中央部が第１摩擦付与部材１２に乗り上げる。
【００５２】
この状態でさらに引き出し操作が継続されると、連続袋Ｃの密着状態にある上面および下面に作用する外力に差が生じる。
【００５３】
すなわち、連続袋Ｃの下面には、第１摩擦付与部材１２との摩擦や、この第１摩擦付与部材１２の吸着作用により、引き出し力に抗する力が作用し、上面にはこのような力は作用しない。
【００５４】
このような上下面に作用する力の差により、上面が先行して引き出し方向に移動させられて密着状態にあった上下面が、図６に符号Ｚで示されるように剥離される。
【００５５】
ここで、本実施形態においては、切り離し部８に不連続部８ａが形成され、この不連続部８ａの下面に第１摩擦付与部材１２による抗力が作用することから、前述した上下面の剥離作用が円滑に行なわれる。
【００５６】
そして、このような切り離し部８における剥離が行なわれるとともに、前述した引き出しのための外力により、切り離し部８を構成するミシン目が、前述した剥離部分から連続袋Ｃの両側部へ向けて順次切り離される。
【００５７】
これによって、図７に示すように、連続袋Ｃから袋単体Ｄが切り離される。
そして、切り離された袋単体Ｄにあっては、前述したように、切り離し部８において、その一部の上下面が剥離された状態となされている。
【００５８】
したがって、袋単体Ｄの密着した状態にある切り離し部８の上下面を、剥離された部位を始点として全幅に亘って剥離させることができる。
この結果、物品を収納するための袋単体Ｄを開く作業が簡便なものとなる。
【００５９】
一方、前述した切り離し支部８における切り離しが、袋単体Ｄの幅方向の両端部で中断されることも想定される。
【００６０】
しかしながら、本実施形態においては、連続袋Ｃの引き出し操作に伴い、袋単体Ｄの両端部近傍が第２ガイド軸１１上へ導かれ、この第２ガイド軸１１の両端部に設けられている第２摩擦付与部材１３に圧接させられる。
【００６１】
これによって、未切断状態にある切り離し部８の両端部に抗力が作用して、この未切断部分の切断が促進される。
【００６２】
以上のように、本実施形態に係わるロール状連続袋の袋切り離し装置１によれば、ロール状に巻回された連続袋Ｃから袋単体Ｄを切り離すと同時に、その開口すべき部位の一部において、密着状態にある上下面を剥離した状態とすることができる。
【００６３】
そして、袋単体Ｄを開口する際には、密着状態にある両面を、予め剥離されている部位を始点として全幅に亘って順次剥離することができるので、その開口作業を極めて簡便に行なうことができる。
【００６４】
なお、前記実施形態において示した各構成部材の諸形状や材質、あるいは、寸法等は一例であって、設計要求や使用されるロール状連続袋の形状や構成等に基づき種々変更可能である。
【符号の説明】
【００６５】
１  （ロール状連続袋の）袋切り離し装置
２  基板
３  支持壁
４  ホルダー
４ａ  係止溝
５  支持軸
６  固定ボルト
７  心材
８  切り離し部（開口部）
８ａ  不連続部
９  底部
１０  第１ガイド軸
１１  第２ガイド軸
１２  第１摩擦付与部材
１３  第２摩擦付与部材
１４  固定ピン
１５  連結軸
Ｂ  基体
Ｃ  （ロール状に巻回された）連続袋
Ｄ  袋単体
【図１】
0003226447.tif 000003
【図２】
0003226447.tif 000004
【図３】
0003226447.tif 000005
【図４】
0003226447.tif 000006
【図５】
0003226447.tif 000007
【図６】
0003226447.tif 000008
【図７】
0003226447.tif 000009
【手続補正書】
【提出日】令和2年3月11日(2020.3.11)
【手続補正１】
【補正対象書類名】実用新案登録請求の範囲
【補正対象項目名】全文
【補正方法】変更
【補正の内容】
【実用新案登録請求の範囲】
【請求項１】
有底部を備えた多数の袋が前記有底部に沿ったミシン目からなる切り離し部を介して接続され、かつ、ロール状に巻回されて構成された連続袋から袋単体を切り離すようにしたロール状連続袋の袋切り離し装置であって、前記ロール状に巻回された連続袋を回動可能に支持する支持軸と、この支持軸と略平行に配置され、前記ロール状に巻回された連続袋が引き出されて載置されるとともに、前記連続袋が押し付けられた状態で引き出されるガイド軸とを備え、このガイド軸に、前記連続袋を引き出す際に、この連続袋の下面との間に摩擦力を生じさせる摩擦付与部材が設けられていることを特徴とするロール状連続袋の袋切り離し装置。
【請求項２】
前記ガイド軸が、連続袋の引き出し方向上流側に設けられた第１ガイド軸と、連続袋の引き出し方向下流側に設けられた第２ガイド軸とによって構成されているとともに、前記第１ガイド軸に第１摩擦付与部材が設けられ、前記第２ガイド軸に第２摩擦付与部材が設けられ、前記第１摩擦付与部材が、前記第１ガイド軸の長さ方向の中間部に設けられ、前記第２摩擦付与部材が、前記第２ガイド軸の長さ方向に間隔をおいた２箇所に設けられていることを特徴とする請求項１に記載のロール状連続袋の袋切り離し装置。
【請求項３】
前記摩擦付与部材がシリコーンゴムによって形成されていることを特徴とする請求項１または請求項２に記載のロール状連続袋の袋切り離し装置。